(57)【要約】【課題】  容易にあご紐を交換可能であるとともに、リバーシブル構造の帽子における本来の２種類のデザインを楽しむことが可能なリバーシブル帽子等を提供する。【解決手段】  本願のリバーシブル帽子１Ａは、半円球状の帽子本体部１０と、あご紐２０と、を備えて構成され、帽子本体部１０は、帽子本体部１０を使用者の頭部に取り付けた状態において、両耳の上にあたる左右両側部にあご紐２０を挿通する挿通部１５を有し、あご紐２０は、両端部に一対の留め具２２、２３を連続して備え、一方の留め具２２が外側に、他方の留め具２３が内側に配置されるようにあご紐２０が帽子本体部１０に取り付けられる。【選択図】  図２
2006328619.tif 000002
【特許請求の範囲】
【請求項１】
半円球状の帽子本体部と、あご紐と、を備えて構成され、
前記帽子本体部は、
前記帽子本体部を使用者の頭部に取り付けた状態において、両耳の上にあたる左右両側部に前記あご紐を挿通する挿通部を有し、
前記あご紐は、
両端部に一対の留め具を備え、
前記一方の留め具が外側に、他方の留め具が内側に配置されて前記あご紐が前記帽子本体部に取り付けられることを特徴とするリバーシブル帽子。
【請求項２】
半円球状の帽子本体部と、あご紐と、を備えて構成され、
前記帽子本体部は、
前記帽子本体部を使用者の頭部に取り付けた状態において、両耳の上にあたる左右両側部に前記あご紐を取り付けるための挿通部を有し、
前記あご紐は、
両端部に嵌合手段が取り付けられた一対の留め具を備え、
一方の留め具が内側に、他方の留め具が外側に配置され、前記挿通部を介し前記嵌合手段によって前記あご紐が前記帽子本体部に取り付けられることを特徴とするリバーシブル帽子。
【請求項３】
半円球状の帽子本体部と、あご紐と、を備えて構成され、
前記帽子本体部は、
前記帽子本体部を使用者の頭部に取り付けた状態において、両耳の上にあたる左右両側部に前記あご紐を取り付けるための挿通部を有し、且つ、前記挿通部内に所定の空間を有するように２枚の生地を重ね合わせて縫合されており、
前記あご紐は、
両端部に留め具を備え、
前記留め具が前記挿通部を介して前記帽子本体部の空間に配置され前記留め具の外周縁が前記２枚の生地に挟まれて前記あご紐が前記帽子本体部に取り付けられることを特徴とするリバーシブル帽子。
【請求項４】
半円球状の帽子本体部と、あご紐と、を備えて構成され、
前記帽子本体部は、
前記帽子本体部を使用者の頭部に取り付けた状態において、両耳の上にあたる左右両側部に前記あご紐を取り付けるための挿通部を有し、且つ前記挿通部内に所定の空間を有するように２枚の生地を重ね合わせて縫合されており、
前記２枚の生地の間には、前記挿通部を塞ぎ前記空間を左右に仕切る仕切体を備え、
前記あご紐は、
両端部に留め具を備え、
前記留め具が前記帽子本体部の空間に配置され前記留め具の外周縁が前記帽子本体部の内側の生地と仕切体に挟まれて前記あご紐が前記帽子本体部に取り付けられることを特徴とするリバーシブル帽子。
【請求項５】
請求項１に記載のリバーシブル帽子に用いられるあご紐であって、
前記あご紐は、
両端部に一対の留め具を備えていることを特徴とするあご紐。
【請求項６】
請求項２に記載のリバーシブル帽子に用いられるあご紐であって、
前記あご紐は、
両端部に嵌合手段が取り付けられた一対の留め具を備えていることを特徴とするあご紐。
【請求項７】
請求項３、又は４に記載のリバーシブル帽子に用いられるあご紐であって、
前記あご紐は、
両端部に留め具を備えていることを特徴とするあご紐。
【発明の詳細な説明】
【技術分野】  本発明は、リバーシブル帽子の技術分野に属し、より詳細には、前記リバーシブル帽子に取り付けられるあご紐の取付構造に関する。
【背景技術】  従来、リバーシブル帽子の一例として、子どもが運動する際に、前記子どもの頭部に装着する赤白運動帽子が存在する。
前記赤白運動帽子は、赤色の生地と白色の生地とを重ね合わせて半円球状に糸で縫合してなる帽子本体と、前記帽子本体に取り付けられるゴム紐と、を備え、前記帽子本体を子どもの頭部に取り付けた状態において、前記子どもの耳の上左右両側部に前記ゴム紐の両側端を縫い付けている。
【特許文献１】登録実用新案第３０５２１４４号
【発明の開示】
【発明が解決しようとする課題】  しかしながら、このような赤白帽子の場合、前記あご紐が汚れた際の交換にあご紐を縫合し直す手間がかかり面倒である。また、ひっくり返して装着する場合には、ゴム紐の端部が外側に表れてしまうため、デザイン的に好ましくない。
そこで、本発明は、上記の問題点に鑑みて為されたもので、容易にあご紐を交換可能であるとともに、リバーシブル構造の帽子における本来の２種類のデザインを楽しむことが可能なリバーシブル帽子、及びこのリバーシブル帽子に用いられるあご紐を提供することを目的とする。
【課題を解決するための手段】  以下、本願について説明する。なお、本願の理解を容易にするために添付図面の参照符号を括弧書きにて付記するが、それにより本願が図示の形態に限定されるものではない。
請求項１に記載のリバーシブル帽子（１Ａ）は、半円球状の帽子本体部（１０）と、あご紐（２０）と、を備えて構成され、前記帽子本体部は、前記帽子本体部を使用者の頭部に取り付けた状態において、両耳の上にあたる左右両側部に前記あご紐を挿通する挿通部（１５）を有し、前記あご紐は、両端部に一対の留め具（２２、２３）を備え、前記一方の留め具（２２）が外側に、他方の留め具（２３）が内側に配置されて前記あご紐が前記帽子本体部に取り付けられることを特徴とする。
また、請求項２に記載のリバーシブル帽子（１Ｂ）は、半円球状の帽子本体部と、あご紐と、を備えて構成され、前記帽子本体部は、前記帽子本体部を使用者の頭部に取り付けた状態において、両耳の上にあたる左右両側部に前記あご紐を取り付けるための挿通部を有し、前記あご紐は、両端部に嵌合部材（３０）が取り付けられた一対の留め具（３１、３２）を備え、一方の留め具（３１）が内側に、他方の留め具（３２）が外側に配置され前記挿通部を介し嵌合部材によって前記あご紐が前記帽子本体部に取り付けられることを特徴とする。
また、請求項３に記載のリバーシブル帽子（１Ｃ）は、半円球状の帽子本体部と、あご紐と、を備えて構成され、前記帽子本体部は、前記帽子本体部を使用者の頭部に取り付けた状態において、両耳の上にあたる左右両側部に前記あご紐を取り付けるための挿通部を有し、且つ、前記挿通部内に所定の空間（Ｓ）を有するように２枚の生地（１ａ、１ｂ）を重ね合わせて縫合されており、前記あご紐は、両端部に留め具（４０）を備え、前記留め具が前記挿通部を介して前記帽子本体部の空間に配置され前記留め具の外周縁が前記２枚の生地に挟まれて前記あご紐が前記帽子本体部に取り付けられることを特徴とする。
また、請求項４に記載のリバーシブル帽子（１Ｄ）は、半円球状の帽子本体部と、あご紐と、を備えて構成され、前記帽子本体部は、前記帽子本体部を使用者の頭部に取り付けた状態において、両耳の上にあたる左右両側部に前記あご紐を取り付けるための挿通部を有し、且つ前記挿通部内に所定の空間を有するように２枚の生地を重ね合わせて縫合されており、前記２枚の生地の間には、前記挿通部を塞ぎ前記空間を左右に仕切る仕切体（５０）を備え、前記あご紐は、両端部に留め具を備え、前記留め具が前記帽子本体部の空間に配置され前記留め具の外周縁が前記帽子本体部の内側の生地（１ｂ）と仕切体に挟まれて前記あご紐が前記帽子本体部に取り付けられることを特徴とする。
【発明を実施するための最良の形態】  本願に係るリバーシブル帽子の実施形態について、図１乃至図６を用いて説明する。なお、以下に説明する各実施形態において、共通する部分については、同一符号を付することとし、説明を省略するものとする。
−第１の実施形態−
まず、第１の実施形態に係るリバーシブル帽子について、図１乃至図３を用いて説明する。図１はリバーシブル帽子の外観図、図２はリバーシブル帽子の縦断面図、図３は図２のＡ拡大図である。
図１に示すように、本実施形態に係るリバーシブル帽子１Ａは、帽子本体部１０と、あご紐２０と、を備えて構成されている。このリバーシブル帽子１は、帽子本体部１０の表の生地１ａと裏の生地１ｂとが異なる色彩をしており、ひっくり返すことで、帽子本体部１０の表裏が共に使用可能である。
帽子本体部１０は、帽子本体１１と、前記帽子本体１１の外周から下方に広がるように延びるツバ１３と、を備えている。また、リバーシブル帽子１を使用者の頭部に装着したした状態において、前記使用者の耳の上部にあたる帽子本体部１０の左右両側部には、あご紐２０の両端部を挿通するための挿通部１５が形成されている。挿通部１５は、例えば、縦方向に切り欠いて形成されている。なお、この挿通部１５は、貫通孔であっても横方向に切り欠いてあっても構わない。
帽子本体１１は、色彩の異なる生地１ａ、１ｂが２枚重ね合わされて糸５０で縫合されて、使用者の頭部を覆うために略半球形状に形成されている。この生地１ａ、１ｂは、柔らかく柔軟性のある木綿などの布地が用いられている。
あご紐２０は、ゴム紐などの弾性体が用いられることが望ましいが、単なる紐であっても構わない。このあご紐２０の両端部には、略円形状の一対の留め具２２、２３が所定の隙間を有して連続して取り付けられている。この留め具２２、２３は、帽子本体１１と同様の生地を用いて略円形状に形成されることが望ましいが、ボタンなどであっても良く、さらに形状もどのようなものであっても構わない。留め具２２、２３は、簡単に挿通部１５を通過できないようになっていれば良い。
さらに、このあご紐２０は、リバーシブル帽子を使用する使用者に適切な長さに調整されており、使用者は、このあご紐２０をあごに引掛けることによりリバーシブル帽子の脱落が帽子されるようになっている。
あご紐２０は、帽子本体１１の挿通部１５にその端部を挿通して取り付けられる。図２及び図３に示すように、あご紐２０は、端部側の留め具２３を挿通部１５から外側に通し、帽子本体１１の挿通部１５を一対の留め具２２、２３で挟んで取り付けられている。
また、あご紐の中心側の留め具２２は、その外径が挿通部１５よりも大きく形成されており、あご紐２０を帽子本体１１に取り付けた状態で、外側から前記留め具２３を引張っても簡単に内側の留め具２２が挿通部１５を通らないようになっているので、外側から留め具２３を引っ張っても使用者の首が絞まるようなことがなく、子どもが使用する紅白運動帽子などに適用すれば、特に効果的（安全）である。
以上に説明したように、本実施形態のリバーシブル帽子１Ａは、半円球状の帽子本体部１０と、あご紐２０と、を備えて構成され、前記帽子本体部２０は、前記帽子本体部２０を使用者の頭部に取り付けた状態において、両耳の上にあたる左右両側部に前記あご紐２０を挿通する挿通部１５を有し、前記あご紐２０は、両端部に一対の留め具２２、２３を備え、前記一方の留め具２２が外側に、他方の留め具２３が内側に配置されて前記あご紐２０が前記帽子本体部１０に取り付けられるようになっている。
このように構成されたリバーシブル帽子１Ａは、帽子本体部１０に取り付けられた一方の留め具２２を挿通部１５から内側に取り外すだけで、帽子本体部１０からあご紐２０を容易に取り外すことができるので、例えば、使用によってあご紐２０が伸びてしまった場合や汚れた場合であっても、あご紐２０を容易に取り外し可能であるとともに、交換可能である。また、帽子本体部１０の外側に取り付けられている留め具２２が何らかの要因で引っ張られても、帽子本体部１０の内側に取り付けられている留め具２３によってあご紐２０が外方へ引っ張られるのが防止されるため、あご紐２０によって使用者の首が絞められることもなく、このリバーシブル帽子１Ａを子ども用の紅白運動帽子に適用すれば効果的である。
また、あご紐２０を２本用意する。そして、一方のあご紐２０は、あご紐２０の中心側に備えている留め具２２を帽子本体の内側の生地１ｂと同色に、あご紐２０の端部側に備えている留め具２３を帽子本体１１の外側の生地１ａと同色にしておく。一方、他方のあご紐２０は、あご紐２０の中心側に備えている留め具２２を帽子本体１１の外側の生地１ａと同色に、あご紐２０の端部側に備えている留め具２３を帽子本体１１の内側の生地１ｂと同色にしておく。
このようにすれば、使用者は、使用形態に応じて２本のあご紐２０を付け替えるだけで、留め具２２、２３の色彩を帽子本体部１０の色彩と同色にできるため、統一性のあるリバーシブル帽子１Ａとして使用することが可能となっている。
−第２の実施形態−
本実施形態は前述した実施形態において、帽子本体部へのあご紐の取付構造が異なったものであり、図４を用いて説明する。図４はゴム紐を帽子本体に取り付ける際の他の取付状態図である。
本実施形態のリバーシブル帽子１Ｂは、あご紐２０の両端部に嵌合部材３０を備えた一対の留め具３１、３２を備え、帽子本体１１の挿通部１５をこの一対の留め具３１、３２で挟んで前記あご紐２０を帽子本体１１に取り付けるようになっている。なお、前記留め具３１、３２は、略円形状に形成されているが、どのような形状であっても構わない。
この嵌合部材３０は、例えば、ボタン３０ａとボタンホール３０ｂとを備えて構成されており、一対の留め具３１、３２のそれぞれが対向する面に前記ボタン３０ａとボタンホール３０ｂとが取り付けられている。
以上に説明したように、本実施形態のリバーシブル帽子１Ｂは、半円球状の帽子本体部１０と、あご紐２０と、を備えて構成され、前記帽子本体部１０は、前記帽子本体部１０を使用者の頭部に取り付けた状態において、両耳の上にあたる左右両側部に前記あご紐２０を取り付けるための挿通部１５を有し、前記あご紐２０は、両端部に嵌合部材３０が取り付けられた一対の留め具３１、３２を備え、一方の留め具３１が内側に、他方の留め具３２が外側に配置され前記挿通部１５を介し嵌合部材３０によって前記あご紐２０が前記帽子本体部１０に取り付けられるようになっている。
このように構成されたリバーシブル帽子１Ｂは、帽子本体部１０に取り付けられた他方の留め具３２を外方へ引っ張り、一方の留め具３１から取り外すだけで、帽子本体部１０からあご紐２０を取り外すことができるので、例えば、使用によってあご紐２０が伸びてしまった場合や汚れた場合であっても、容易に取り外し可能であるとともに、交換可能である。また、帽子本体部１０の外側に取り付けられている留め具３２が何らかの要因で引っ張られても、帽子本体部１０の内側に取り付けられている留め具３２によってあご紐２０が外方へ引っ張られるのが防止されるため、あご紐２０によって使用者の首が絞められることもなく、このリバーシブル帽子１を子ども用の紅白運動帽子に適用すれば効果的である。また、帽子本体部１０の外側に取り付けられている留め具３２を強く引っ張った場合には、帽子本体部１０の内側に取り付けられている留め具３１から前記留め具３２が外れるようになっているので、上記同様、あご紐２０によって使用者の首が絞められることはない。
−第３の実施形態−
本実施形態は前述した実施形態において、帽子本体部へのあご紐の取付構造が異なったものであり、図５を用いて説明する。図５はゴム紐を帽子本体に取り付ける際の他の取付状態図である。
本実施形態のリバーシブル帽子１Ｃの挿通部１５周辺の外側の生地１ａと内側の生地１ｂの間には、所定の空間Ｓを有するように前記外側の生地１ａと内側の生地１ｂとが糸５０で縫合されている。
そして、本実施形態のリバーシブル帽子１Ｃは、あご紐２０の両端部に留め具４０を備え、前記留め具４０を挿通部１５を介して帽子本体１１を形成している一対の生地１ａ、１ｂの間に配置して、前記留め具４０の外周縁が一対の生地１ａ、１ｂに挟まれてあご紐２０が帽子本体１１に取り付けられるようになっている。なお、前記留め具４０は、略円形状に形成されているが、どのような形状であっても構わない。
以上に説明したように、本実施形態のリバーシブル帽子１Ｃは、半円球状の帽子本体部１０と、あご紐２０と、を備えて構成され、前記帽子本体部１０は、前記帽子本体部を使用者の頭部に取り付けた状態において、両耳の上にあたる左右両側部に前記あご紐２０を取り付けるための挿通部１５を有し、且つ、前記挿通部１５内に所定の空間Ｓを有するように２枚の生地１ａ、１ｂを重ね合わせて糸５０で縫合されており、前記あご紐２０は、両端部に留め具４０を備え、前記留め具４０が前記挿通部１５を介して前記帽子本体部１０の空間Ｓに配置され前記留め具の外周縁が前記２枚の生地に挟まれて前記あご紐２０が前記帽子本体部２０に取り付けられるようになっている。
このように構成されたリバーシブル帽子１Ｃは、帽子本体部１０に取り付けられた留め具４０を挿通部１５の空間Ｓから取り外すだけで、帽子本体部１０からあご紐２０を取り外すことができるので、例えば、使用によってあご紐２０が伸びてしまった場合や汚れた場合であっても、容易に取り外し可能であるとともに、交換可能である。また、あご紐２０を帽子本体部１０に取り付けた状態において、帽子本体部１０を形成する生地１ａと生地１ｂの間に留め具４０が配置されるようになっているので、何らかの要因で外側から留め具４０が引っ張られることはなく、このリバーシブル帽子１Ｃを子ども用の紅白運動帽子に適用すれば効果的である。
−第４の実施形態−
本実施形態は前述した実施形態において、帽子本体部へのあご紐の取付構造が異なったものであり、図６を用いて説明する。図６はゴム紐を帽子本体に取り付ける際の他の取付状態図である。
本実施形態のリバーシブル帽子１Ｄの挿通部１５周辺の外側の生地１ａと内側の生地１ｂの間には、前記挿通部１５を塞ぐとともに、一対の生地１ａ、１ｂの間に所定の空間Ｓ１、Ｓ２を有する仕切体５０を備え、前記外側の生地１ａ、内側の生地１ｂ、及び仕切体５０が糸５０で縫合されている。この仕切体５０は、帽子本体１１を形成している生地１ａ及び１ｂと同じ素材を用いているが、これに限られるものではない。
そして、本実施形態のリバーシブル帽子１Ｄは、帽子本体１１を形成している一対の生地１ａ、１ｂの間に挿通部１５を塞ぎ所定の空間Ｓを左右に仕切る仕切体５０を備えるとともに、あご紐２０の両端部に留め具４０を備え、この留め具４０を挿通部１５を介して帽子本体１１を形成している内側の生地１ｂと仕切体５０との間に配置して、あご紐２０を帽子本体１１に取り付けるようにしている。
以上に説明したように、本実施形態のリバーシブル帽子１Ｄは、半円球状の帽子本体部１０と、あご紐２０と、を備えて構成され、前記帽子本体部１０は、前記帽子本体部１０を使用者の頭部に取り付けた状態において、両耳の上にあたる左右両側部に前記あご紐２０を取り付けるための挿通部１５を有し、且つ前記挿通部１５内に所定の空間Ｓを有するように２枚の生地１ａ、１ｂを重ね合わせて糸５０で縫合されており、前記２枚の生地１ａ、１ｂの間には、前記挿通部１５を塞ぎ前記空間Ｓを左右に仕切る仕切体５０を備え、前記あご紐２０は、両端部に留め具４０を備え、前記留め具４０が前記帽子本体部１０の空間Ｓに配置され前記留め具４０の外周縁が前記帽子本体部１０の内側の生地１ｂと仕切体５０に挟まれて前記あご紐２０が前記帽子本体部１０に取り付けられるようになっている。
このように構成されたリバーシブル帽子１ｄは、帽子本体部１０に取り付けられた留め具４０を挿通部１５から取り外すだけで、帽子本体部１０からあご紐２０を取り外すことができるので、例えば、使用によってあご紐２０が伸びてしまった場合や汚れた場合であっても、容易に取り外し可能であるとともに、交換可能である。また、あご紐２０を帽子本体部１０に取り付けた状態において、帽子本体部１０を形成する生地１ａと生地１ｂの間であって、空間Ｓに留め具４０が配置されるようになっているので、何らかの要因で外側から留め具４０が引っ張られることはなく、このリバーシブル帽子１Ｄを子ども用の紅白運動帽子に適用すれば効果的である。
−第５の実施形態−
本実施形態は前述した実施形態において、帽子本体部へのあご紐の取付構造が異なったものであり、図７及び図８を用いて説明する。図７及び図８はゴム紐を帽子本体に取り付ける際の他の取付状態図である。また、図７（ａ）は留め具とゴム紐の取付状態図である。
図７（ｂ）に示すように、本実施形態のリバーシブル帽子１Ｅのゴム紐２０の両端部には、前記ゴム紐２０の端部を挟んで一対の留め具２２、２３を備えるようになっている。また、前記一対の留め具２２、２３は、例えば、糸などでゴム紐２０に縫合されて取り付けられている。そして、図７（ａ）に示すように、リバーシブル帽子１Ｅには、ゴム紐２０が、一方の留め具２３を挿通部１５を介して帽子本体１１の外側に配置し、他方の留め具２２を帽子本体１１の内側に配置して取り付けられている。
また、図８に示すように、ゴム紐２０の両端部には、一対の留め具２２、２３のうち、帽子本体１１の内側に配置される他方の留め具２２が取り付けられるようになっていても構わない。この場合、一対の留め具２２、２３は、重ね合わされて設けられていても構わないが、好ましくは、留め具２２、２３同士を糸５１や紐、又はゴムなどの弾性体等で繋ぎ合わせて設けられている。留め具２２、２３は、帽子本体１１を形成している生地１ａ、１ｂを挿通部１５を介して一対の留め具２２、２３で挟むことができるようになっていればよい。
なお、本願のリバーシブル帽子１Ａ〜１Ｅは、帽子本体の外周縁にツバを有する帽子について記載したが、帽子本体の前側だけにツバを有する一般にキャップと称される帽子であっても構わない。
【図面の簡単な説明】
【図１】リバーシブル帽子の外観図である。
【図２】リバーシブル帽子の縦断面図である。
【図３】図２のＡ拡大図である。
【図４】ゴム紐を帽子本体に取り付ける際の他の取付状態図である。
【図５】ゴム紐を帽子本体に取り付ける際の他の取付状態図である。
【図６】ゴム紐を帽子本体に取り付ける際の他の取付状態図である。
【図７】ゴム紐を帽子本体に取り付ける際の他の取付状態図である。
【図８】ゴム紐を帽子本体に取り付ける際の他の取付状態図である。
【符号の説明】
１Ａ〜１Ｅ  リバーシブル帽子
１０  帽子本体部
１５  挿通部
２０  あご紐
２２、２３、３１、３２、４０  留め具
３０  嵌合部材
５０  仕切体
【図１】
2006328619.tif 000003
【図２】
2006328619.tif 000004
【図３】
2006328619.tif 000005
【図４】
2006328619.tif 000006
【図５】
2006328619.tif 000007
【図６】
2006328619.tif 000008
【図７】
2006328619.tif 000009
【図８】
2006328619.tif 000010